(57)【要約】 【課題】  リモートサーバからデータアイテムをローカルデバイスにセキュアに転送する。【解決手段】  遠隔サーバの保護領域に格納されたデータアイテムを、ローカルデバイスに転送するために取り出す方法が提供される。信頼できる接続が情報デバイスと遠隔サーバの保護領域との間に形成される。情報デバイスおよび信頼できる接続が利用されて、遠隔サーバの保護領域に格納された１つ以上のデータアイテムの第１のグループが選択される。データアイテムの第１のグループが保護領域から遠隔サーバの保護領域の外の保持領域に転送される。ローカルデバイスと保持領域との間に取り出し接続が形成される。１つ以上のデータアイテムの第２のグループが保持領域に転送されたデータアイテムの第１のグループから決定される。データアイテムの第２のグループは、保持領域から取り出し接続を介してローカルデバイスに転送される。【選択図】  図３
2005032238.tif 000002
【特許請求の範囲】
【請求項１】
遠隔サーバ（２８）の保護領域（３０）に格納された１つ以上のデータアイテムを、ローカルデバイス（４６）に転送するために取り出す方法であって、
信頼できる接続を情報デバイス（２０）と該遠隔サーバ（２８）の該保護領域（３０）との間に形成するステップ（Ｓ１）と、
該情報デバイス（２０）および該信頼できる接続を利用して、該遠隔サーバ（２８）の該保護領域（３０）に格納された１つ以上のデータアイテムの第１のグループを選択するステップ（Ｓ２）と、
該データアイテムの第１のグループを該保護領域（３０）から該遠隔サーバ（２８）の該保護領域（３０）の外の保持領域（４２）に転送するステップ（Ｓ３）と、
該ローカルデバイス（４６）と該保持領域（４２）との間に取り出し接続を形成するステップ（Ｓ４）と、
１つ以上のデータアイテムの第２のグループを該保持領域（４２）に転送された該データアイテムの第１のグループから決定するステップ（Ｓ５）と、
該データアイテムの第２のグループを、該保持領域（４２）から該取り出し接続を介して該ローカルデバイス（４６）に転送するステップ（Ｓ６）と
を包含する、方法。
【請求項２】
前記取り出し接続は、前記保持領域（４２）の位置を表す位置識別子に依存して形成される、請求項１に記載の方法。
【請求項３】
前記ローカル識別子自体が、前記保持領域（４２）の位置を識別するために十分な情報を含む、請求項２に記載の方法。
【請求項４】
前記位置識別子に依存して、前記保持領域（４２）の位置を参照するステップをさらに包含する、請求項２に記載の方法。
【請求項５】
前記データアイテムの第２のグループは、前記保持領域（４２）に転送される前記データアイテムの第１のグループを識別するグループ識別子に依存して決定される、請求項１〜４のいずれか１つに記載の方法。
【請求項６】
前記保持領域（４２）に転送された前記データアイテムの第１のグループへの前記ローカルデバイス（４６）からのアクセスは、該データアイテムの第１のグループに関連付けられたアクセス識別子に依存して取得される、請求項１〜５のいずれか１つに記載の方法。
【請求項７】
前記データアイテムの第２のグループは、前記保持領域（４２）に転送される前記データアイテムの第１のグループを識別するグループ識別子に依存して決定され、前記アクセス識別子は、前記グループ識別子を含む、請求項６に記載の方法。
【請求項８】
前記取り出し接続は、前記保持領域（４２）の位置を表す位置識別子に依存して形成され、前記アクセス識別子は、前記位置識別子を含む、請求項６または７に記載の方法。
【請求項９】
前記アクセス識別子は、前記情報デバイス（２０）から前記ローカルデバイス（４６）に通信される、請求項６、７、または８に記載の方法。
【請求項１０】
前記アクセス識別子は、前記遠隔サーバ（２８）において生成され、前記信頼できる接続を介して前記情報デバイス（２０）に通信される、請求項９に記載の方法。
【請求項１１】
前記アクセス識別子は、前記情報デバイス（２０）による次の取り出しのために、前記遠隔サーバ（２８）に格納される、請求項１０に記載の方法。
【請求項１２】
前記アクセス識別子は、該アクセス識別子を該ローカルデバイス（４６）に手動で入力することによって前記ローカルデバイス（４６）に通信される、請求項９、１０、または１１に記載の方法。
【請求項１３】
前記情報デバイス（２０）と前記ローカルデバイス（４６）との間の接続を形成し、前記アクセス識別子を該情報デバイス（２０）から該接続を介して該ローカルデバイス（４６）に通信するステップをさらに包含する、請求項９、１０、または１１に記載の方法。
【請求項１４】
前記情報デバイス（２０）と前記ローカルデバイス（４６）との間の接続は、Ｂｌｕｅｔｏｏｔｈまたは赤外線接続などの無線通信である、請求項１３に記載の方法。
【請求項１５】
前記情報デバイス（２０）と前記ローカルデバイス（４６）との間の接続は、物理接続である、請求項１３に記載の方法。
【請求項１６】
前記情報デバイス（２０）を前記ローカルデバイス（４６）に接続されたクレードルに置いて、前記物理接続を形成するステップをさらに包含する、請求項１５に記載の方法。
【請求項１７】
前記情報デバイス（２０）と前記ローカルデバイス（４６）との間の接続はセキュア接続である、請求項１３〜１６のいずれか１つに記載の方法。
【請求項１８】
前記データアイテムの第２のグループは、前記データアイテムの第１のグループと同じであると決定される、請求項１〜１７に記載の方法。
【請求項１９】
前記ローカルデバイス（４６）を利用して、前記データアイテムの第２のグループ内のデータアイテムを選択し、決定するステップをさらに包含する、請求項１〜１８のいずれか１つに記載の方法。
【請求項２０】
前記ローカルデバイス（４６）において、前記第１のグループ内のデータアイテムのリストを提示し、前記保持領域（４２）から該ローカルデバイス（４６）に転送するために該リストから前記第２のグループを選択するステップを含む、請求項１９に記載の方法。
【請求項２１】
前記第１のグループ内の１つ以上のデータアイテムに関する情報を前記保持領域（４２）から取り出し、前記ローカルデバイス（４６）において該情報を提示して、前記第２のグループのデータアイテムの選択を容易にするステップをさらに包含する、請求項１９または２０に記載の方法。
【請求項２２】
前記ローカルデバイス（４６）は、前記保持領域（４２）内のデータアイテムにアクセスし、かつ／または、選択し、かつ／または、取り出す場合に、一般的なインターネットブラウジング能力を用いる、請求項１〜２１に記載の方法。
【請求項２３】
前記取り出しおよび前記信頼できる接続の少なくとも１つが、セキュア接続である、請求項１〜２２のいずれか１つに記載の方法。
【請求項２４】
前記信頼できる接続は、前記情報デバイス（２０）が前記保護領域（３０）にアクセスすることを許可されたという前記遠隔サーバ（２８）による認証の後に、該情報デバイス（２０）に対して認められる、請求項１〜２３のいずれか１つに記載の方法。
【請求項２５】
前記遠隔サーバ（２８）の前記保護領域（３０）は、ファイヤーウォールによって保護されている、請求項１〜２４のいずれか１つに記載の方法。
【請求項２６】
前記ローカルデバイス（４６）に転送する前にデータアイテムを処理するステップをさらに包含する、請求項１〜２５のいずれか１つに記載の方法。
【請求項２７】
行われる前記処理は、前記ローカルデバイス（４６）のタイプおよび／または位置に依存する、請求項２６に記載の方法。
【請求項２８】
前記データアイテムの第１のグループを前記保持領域（４２）内の隠された領域に格納するステップをさらに包含する、請求項１〜２７に記載の方法。
【請求項２９】
前記データアイテムのグループを、適切な認証情報がある場合にのみアクセス可能な前記保持領域（４２）のセキュア領域に格納するステップをさらに包含する、請求項１〜２８のいずれかに記載の方法。
【請求項３０】
前記セキュア領域はパスワード保護され、前記認証情報はパスワードを含む、請求項２９に記載の方法。
【請求項３１】
前記保持領域（４２）に転送する前にデータアイテムを暗号化し、前記ローカルデバイス（４６）において受信した後に該データアイテムを復号するステップをさらに包含する、請求項１〜３０に記載の方法。
【請求項３２】
前記保持領域（４２）に転送された前記データアイテムの第１のグループへの前記ローカルデバイス（４６）からのアクセスは、該データアイテムの第１のグループに関連付けられたアクセス識別子に依存して取得され、前記アクセス識別子は、前記データアイテムの暗号化を行うために必要な暗号化情報を含む、請求項３１に記載の方法。
【請求項３３】
前記保持領域（４２）に転送された前記データアイテムの第１のグループへの前記ローカルデバイス（４６）からのアクセスは、該データアイテムの第１のグループに関連付けられたアクセス識別子に依存して取得され、前記アクセス識別子を、所定の回数の使用、例えば、１回の使用の後に、無効にするステップをさらに包含する、請求項１〜３２のいずれか１つに記載の方法。
【請求項３４】
以前のアクセス識別子が無効にされた後、新たなアクセス識別子を生成するステップをさらに包含する、請求項３３に記載の方法。
【請求項３５】
前記保持領域（４２）に転送された前記データアイテムの第１のグループへの前記ローカルデバイス（４６）からのアクセスは、該データアイテムの第１のグループに関連付けられたアクセス識別子に依存して取得され、前記アクセス識別子を、以下の基準、すなわち、（ａ）所定の期間後であることと、（ｂ）該アクセス識別子に関連付けられたデータアイテムの全てが前記保持領域（４２）から取り出された後であることとの一方、または両方に従って、無効にするステップをさらに包含する、請求項１〜３４のいずれか１つに記載の方法。
【請求項３６】
データアイテムを、所定の回数、例えば１回取り出された後に、前記保持領域（４２）から削除するステップをさらに包含する、請求項１〜３５のいずれか１つに記載の方法。
【請求項３７】
前記保持領域（４２）に転送された前記データアイテムの第１のグループへの前記ローカルデバイス（４６）からのアクセスは、該データアイテムの第１のグループに関連付けられたアクセス識別子に依存して取得され、前記アクセス識別子に関連付けられた１つ以上のデータアイテムは、該アクセス識別子が無効にされる場合に削除される、請求項１〜３６のいずれか１つに記載の方法。
【請求項３８】
データアイテムを所定の期間後にパブリックスペースから削除するステップをさらに包含する、請求項１〜３７のいずれか１つに記載の方法。
【請求項３９】
前記ローカルデバイス（４６）は出力デバイスを含む、請求項１〜３８のいずれか１つに記載の方法。
【請求項４０】
前記ローカルデバイス（４６）はプリンタを含む、方法であって、該ローカルデバイス（４６）に転送された少なくとも１つのデータアイテムの一部または全てを該プリンタ上で印刷するステップをさらに包含する、請求項３９に記載の方法。
【請求項４１】
前記ローカルデバイス（４６）はディスプレイを含む、方法であって、該ローカルデバイス（４６）に転送された少なくとも１つのデータアイテムの一部または全てを該ディスプレイ上で表示するステップをさらに包含する、請求項３９または４０に記載の方法。
【請求項４２】
前記情報デバイス（２０）は、前記ローカルデバイス（４６）の一部を形成する、請求項１〜４１のいずれか１つに記載の方法。
【請求項４３】
前記情報デバイス（２０）は携帯電話である、請求項１〜４１のいずれか１つに記載の方法。
【請求項４４】
前記情報デバイス（２０）から加入者アイデンティティモジュール番号または他のオペレータ識別子をリクエストすることによって、該情報デバイス（２０）を認証するステップをさらに包含する、請求項４３に記載の方法。
【請求項４５】
前記保持領域（４２）は前記遠隔サーバ（２８）に位置する、請求項１〜４４のいずれか１つに記載の方法。
【請求項４６】
前記保持領域（４２）は、任意のパブリックデバイスによってアクセス可能なパブリックサーバに位置する、請求項１〜４５のいずれか１つに記載の方法。
【請求項４７】
前記ローカルデバイス（４６）は、不特定多数の人によってアクセス可能なパブリック機器である、請求項１〜４６のいずれか１つに記載の方法。
【請求項４８】
前記情報デバイス（２０）は、前記ローカルデバイス（４６）の近傍に位置する、請求項１〜４７のいずれか１つに記載の方法。
【請求項４９】
前記情報デバイス（２０）が前記ローカルデバイス（４６）の近傍にあることを、該情報デバイス（２０）の位置を該ローカルデバイス（４６）の位置と比較することによって、認証するステップをさらに包含する、請求項４８に記載の方法。
【請求項５０】
前記ローカルデバイス（４６）において受信される１つ以上のデータアイテムを、別のデバイスに転送するステップをさらに包含する、請求項１〜４９のいずれか１つに記載の方法。
【請求項５１】
前記別のデバイスは情報デバイス（２０）である、請求項５０に記載の方法。
【請求項５２】
前記ローカルデバイス（４６）は、別のデバイスへのデータアイテムの高速取り出しのためのアクセスポイントとして用いられる、請求項５０または５１に記載の方法。
【請求項５３】
前記データアイテムの第１のグループ内のアイテムは、前記保護領域（３０）から前記保持領域（４２）に押し出される、請求項１〜５２のいずれか１つに記載の方法。
【請求項５４】
前記保護領域（３０）と前記保持領域（４２）との間の通信リンクは、一方向通信リンクであり、前記遠隔サーバ（２８）は、該保持領域（４２）との通信を開始し得るが、該保持領域（４２）は該遠隔サーバ（２８）との通信を開始することができない、請求項５３に記載の方法。
【請求項５５】
前記保護領域（３０）と前記保持領域（４２）との間の通信リンクは、セキュア通信リンクである、請求項５３または５４に記載の方法。
【請求項５６】
遠隔取り出しシステムであって、
データアイテムを格納するための保護領域（３０）を有する遠隔サーバ（２８）と、
該遠隔サーバ（２８）の該保護領域（３０）の外の保持領域（４２）と、
信頼できる接続を介して該遠隔サーバ（２８）の該保護領域（３０）と通信する情報デバイス（２０）であって、該情報デバイス（２０）および該信頼できる接続は、該遠隔サーバ（２８）の該保護領域（３０）に格納された１つ以上のデータアイテムの第１のグループを選択するために利用され、該データアイテムの第１のグループは、該保護領域（３０）から、該遠隔サーバ（２８）の該保護領域（３０）の外の該保持領域（４２）に転送される、情報デバイス（２０）と、
取り出し接続を介して該保持領域（４２）と通信するローカルデバイス（４６）であって、１つ以上のデータアイテムの第２のグループは、該保持領域（４２）に転送される該データアイテムの第１のグループから決定され、該第２のグループは該保持領域（４２）から該取り出し接続を介して該ローカルデバイス（４６）に転送される、ローカルデバイス（４６）と
を備える、遠隔取り出しシステム。
【請求項５７】
ローカルデバイス（４６）に転送するため、遠隔サーバ（２８）の該保護領域（３０）に格納された１つ以上のデータアイテムを取り出すために情報デバイス（２０）を利用する方法であって、
該情報デバイス（２０）と、該遠隔サーバ（２８）の該保護領域（３０）との間に信頼できる接続を形成するステップと、
該情報デバイス（２０）および該信頼できる接続を利用して、該遠隔サーバ（２８）の該保護領域（３０）に格納された１つ以上のデータアイテムを選択するステップと、
該選択されたデータアイテムを、該ローカルデバイス（４６）による次の取り出しのために、該保護領域（３０）から該遠隔サーバ（２８）の該保護領域（３０）の外の保持領域（４２）に転送させるステップと
を包含する、方法。
【請求項５８】
ローカルデバイス（４６）に転送するため、遠隔サーバ（２８）の保護領域（３０）に格納された１つ以上のデータアイテムを取り出す情報デバイス（２０）であって、
該情報デバイス（２０）と該遠隔サーバ（２８）の該保護領域（３０）との間に信頼できる接続を形成する接続手段と、
該情報デバイス（２０）および該信頼できる接続を利用して、該遠隔サーバ（２８）の該保護領域（３０）に格納された１つ以上のデータアイテムを選択する、選択手段と、
該選択されたデータアイテムを、該ローカルデバイス（４６）による次の取り出しのために、該保護領域（３０）から該遠隔サーバ（２８）の該保護領域（３０）の外の保持領域（４２）に転送させる転送手段と
を備える、情報デバイス（２０）。
【請求項５９】
情報デバイスにロードされる場合、該デバイスを請求項５８に記載のデバイスにする、オペレーティングプログラム。
【請求項６０】
情報デバイス上で実行される場合、該デバイスに請求項５７に記載の方法を実行させる、オペレーティングプログラム。
【請求項６１】
キャリア媒体に保持される、請求項５９または６０に記載のオペレーティングプログラム。
【請求項６２】
前記キャリア媒体は伝送媒体である、請求項６１に記載のオペレーティングプログラム。
【請求項６３】
前記キャリア媒体は格納媒体である、請求項６１に記載のオペレーティングプログラム。
【請求項６４】
１つ以上のデータアイテムをローカルデバイス（４６’）から遠隔サーバ（２８’）の保護領域（３０’）に転送する方法であって、
該ローカルデバイス（４６’）に格納された１つ以上のデータアイテムのグループを選択するステップ（Ｔ１）と、
該ローカルデバイス（４６’）と該遠隔サーバ（２８’）の該保護領域（３０’）の外の保持領域（４２’）との間に転送接続を形成するステップ（Ｔ２）と、
該データアイテムのグループを、該ローカルデバイス（４６’）から該転送接続を介して該保持領域（４２’）に転送するステップ（Ｔ３）と、
情報デバイス（２０’）と該遠隔サーバ（２８’）の該保護領域（３０’）との間に信頼できる接続を形成するステップ（Ｔ４）と、
該情報デバイス（２０’）および該信頼できる接続を利用して、該保持領域（４２’）内の該データアイテムのグループから１つ以上のデータアイテムを該遠隔サーバ（２８’）の該保護領域（３０’）に転送するステップ（Ｔ５）と
を包含する、方法。
【請求項６５】
前記１つ以上のデータアイテムは、前記遠隔サーバ（２８’）によって、前記保持領域（４２’）から前記保護領域（３０’）に引っ張られる、請求項６４に記載の方法。
【請求項６６】
前記ローカルデバイス（４６’）は、入力デバイスを含む、請求項６４または６５に記載の方法。
【請求項６７】
前記ローカルデバイス（４６’）は、スキャナを含む、請求項６６に記載の方法。
【請求項６８】
前記ローカルデバイス（４６’）は、コピー機を含む、請求項６６または６７に記載の方法。
【請求項６９】
データアイテムを格納するための保護領域（３０’）を有する遠隔サーバ（２８’）と、
該遠隔サーバ（２８’）の該保護領域（３０’）の外の保持領域（４２’）と、
転送接続を介して該保持領域（４２’）と通信するローカルデバイス（４６’）であって、該ローカルデバイス（４６’）上の１つ以上のデータアイテムのグループは、該転送接続を介して該保持領域（４２’）に転送される、ローカルデバイス（４６’）と、
信頼できる接続を介して該遠隔サーバ（２８’）の該保護領域（３０’）と通信する情報デバイス（２０’）であって、該情報デバイス（２０’）および信頼できる接続が、該保持領域（４２’）内のデータアイテムのグループから、１つ以上のデータアイテムを、該遠隔サーバ（２８’）の該保護領域（３０’）に転送するために利用される、情報デバイス（２０’）と
を備える、遠隔転送システム。
【発明の詳細な説明】
【技術分野】
【０００１】
本発明は、遠隔アクセスシステムおよび方法に関し、より詳細には、遠隔サーバとローカルデバイスとの間でデータアイテムを伝送する、特に遠隔サーバのセキュリティが重要である、遠隔アクセスシステムおよび方法に関する。
【背景技術】
【０００２】
ビジネスマンが、オフィスから離れているときでも会社のドキュメントおよび電子メールへのアクセスを必要とすることが徐々に一般的になってきており、様々な製品およびシステムが、このような移動するビジネスマンの需要に適するように開発されてきた。最も普及しているのは、バーチャルプライベートネットワーク（ＶＰＮ）であり、ＶＰＮソリューションは、現在では、コンピュータ、例えば、デスクトップおよびラップトップパーソナルコンピュータ（ＰＣ）と、モバイルデバイス、例えば、携帯情報端末（ＰＤＡ）および携帯電話との両方について利用可能である。
【０００３】
しかし、ＶＰＮは、デバイス画面上のプライベートな企業情報へのインタラクションを可能にするが、常に周辺機器への簡便なアクセスを提供するわけではない。例えば、移動するビジネスマンは、利用可能な（パブリック）プリンタを、自分のモバイルデバイスに物理的に取り付け、ドライバをインストールしない限り、用いることができない。同様に、スキャナ、モニタ、プロジェクタおよび他の周辺機器は、プライベートな企業情報と安全にインタラクトするように、アドホックおよび無線を用いる態様で用いられることができない。これは、特に、ラップトップを持ち運ぶことが実用的でない移動するビジネスマンにとって問題である。なぜなら、モバイルデバイスは、ＶＰＮをサポートするように開発されてきたにも関わらず、ローカルな周辺機器への接続を可能にする、レンダリング能力、ドライバおよび物理的接続性を有さないからである。
【０００４】
上述したような周辺機器は、パブリックに利用可能になりつつある。例えば、日本では、既に、ローソンおよびセブンイレブンなどのコンビニエンスストアが、現在では主に写真のプリントに用いるためであるが、プリンタをカウンターの後に置いている。
【０００５】
本出願人らの同時継続中の英国特許出願第０３０９０４５．３号は、会社のサーバが、レンダリングされたドキュメントを、モバイルデバイスを通じてローカルプリンタに流すことを可能にするシステムを記載する。しかし、このシステムは、レンダリングされたドキュメントのほとんど、または、全てが、潜在的に、高くつき、遅いモバイルネットワークを介して転送されることを必要とする。このシステムはまた、モバイルデバイスが、まだ標準的とは言えない能力を有することが必要である。
【０００６】
添付の図面の図１は、特許文献１（「Ｓｙｓｔｅｍ  ａｎｄ  ｍｅｔｈｏｄ  ｆｏｒ  ａｃｃｅｓｓｉｎｇ  ａｎｄ  ｄｉｓｔｒｉｂｕｔｉｎｇ  ｅｌｅｃｔｒｏｎｉｃ  ｄｏｃｕｍｅｎｔｓ」）、特許文献２（「Ｓｅｃｕｒｅ  ｔｏｋｅｎ−ｂａｓｅｄ  ｄｏｃｕｍｅｎｔ  ｓｅｒｖｅｒ」）、特許文献３（「Ｍｏｂｉｌｅ  Ｄｏｃｕｍｅｎｔ  Ｐａｇｉｎｇ  Ｓｅｒｖｉｃｅ」）、および特許文献４（「Ｍｏｂｉｌｅ  Ｅ−ｍａｉｌ  Ｄｏｃｕｍｅｎｔ  Ｔｒａｎｓａｃｔｉｏｎ  Ｓｅｒｖｉｃｅ」）に開示されている遠隔アクセスシステムを示すブロック図である。このシステムは、本明細書中、サッチェルシステム（Ｓａｔｃｈｅｌ  ｓｙｓｔｅｍ）と呼ばれるが、モバイルデバイス２を含む。モバイルデバイス２は、ドキュメントサーバ４およびインターネットイネーブル機器６と無線通信する。このシステムは、無線モバイルデバイス２が、ドキュメントサーバ４から取り出されるドキュメントを指定するドキュメントトークン、例えば、ＵＲＬ（Ｕｎｉｆｏｒｍ  Ｒｅｓｏｕｒｃｅ  Ｌｏｃａｔｏｒ）を格納し、機器６がドキュメントトークンによって指定されるドキュメントをドキュメントサーバ４から取り出し得るように、ドキュメントトークンをインターネットイネーブル機器６に無線で転送することを可能にする。このシステムは、１人の人が他の人に、ドキュメント自体ではなくドキュメントトークンを送信することによって、ドキュメントを配信することを可能にする。
【０００７】
添付の図面の図２は、ＰｒｉｎｔＭｅシステム（詳細については、ｗｗｗ．  ｐｒｉｎｔｍｅ．ｃｏｍを参照）を示すブロック図である。このシステムは、ワールドワイドウェブ８内に位置し、ワールドワイドウェブ８を介してアクセス可能なＰｒｉｎｔＭｅサービス１０と、プライベートスペース１２、例えばローカルエリアネットワーク（ＬＡＮ）内に位置し、例えばファイヤーウォールなどのバリア１４によって保護されているパーソナルコンピュータ１６と、ＰｒｉｎｔＭｅプリンタ１８とを含む。
【０００８】
ＰｒｉｎｔＭｅシステムは、以下に説明するように動作する。移動するユーザが、自身のパーソナルコンピュータ１６に位置するドキュメントを印刷することを望む場合、そのドキュメントを、パーソナルコンピュータ１６からＰｒｉｎｔＭｅサービス１０に前もってアップロードする。通常、印刷の前のドキュメントレンダリングは、ＰｒｉｎｔＭｅサービスに頼っている。ユーザは、複数のＰｒｉｎｔＭｅプリンタ１８のうちのいずれがドキュメントを印刷するかを、そのドキュメントをＰｒｉｎｔＭｅサービス１０にアップロードするときに指定し得る。従って、全てのＰｒｉｎｔＭｅプリンタ１８は、一意的な識別子を必要とする。また、ユーザがアップロードしたドキュメントに関連付けられるＰｒｉｎｔＭｅサービス１０によってコードが生成されることも可能である。その後、ユーザは、ドキュメントを取り出し、プリンタにおいて印刷するため、選択されたプリンタにコードを直接入力することができる。
【０００９】
特許文献５は、ユーザがメッセージをディスプレイまたはプリンタに携帯電話ネットワークを介して送るシステムを記載している。このメッセージは、ユーザが機器に表示または印刷させたい内容の一部のＵＲＬを含む。この機器は、その後、この内容を取り出し、レンダリングする。
【００１０】
特許文献６は、電子メールの添付物を、添付物のタイプに依存して、自動的に印刷するシステムを記載する。この方法も、セキュリティに関する固有の問題を有し、送達または送達時間の補償もない。同様のシステムが、特許文献７に記載されている。特許文献８では、ユーザがプリンタの近傍に位置していない場合に、電子メールが印刷されないことを確実にするために、セキュリティメカニズムが追加されている。特許文献９は、別のセキュリティ構成を提案している。非特許文献１はまた、電子メールを介して印刷される情報を送信することを提案している。
【００１１】
多くの商業的および学術的環境においては、移動するユーザによってアクセスされ、印刷されるドキュメントが、ドキュメントへの不正なアクセスおよび／または操作を防ぐ厳しいセキュリティ手段の影響下にあることが重要である。従来技術によるシステムにおいて採用されているセキュリティ手段を改良する方法はいくつかある。また遠隔アクセスシステムのインプリメンテーション、および対処されるべきドキュメントにアクセスし、転送する手段に関連する他の局面もある。
【特許文献１】米国特許第６，１４４，９９７号明細書
【特許文献２】米国特許第６，３９７，６２１号明細書
【特許文献３】米国特許第６，４３０，６０１号明細書
【特許文献４】米国特許第６，４８７，１８９号明細書
【特許文献５】米国特許出願公開第２００２／０００４４０４号明細書
【特許文献６】米国特許出願公開第２００３／００３８９７９号明細書
【特許文献７】特開平０５−００２５４１号公報
【特許文献８】特開平０５−１４３２５３号公報
【特許文献９】米国特許出願公開第２００１／００１７７１２号明細書
【非特許文献１】１９９３年１０月、インターネットドキュメントＲＦＣ１５２８、＜ｈｔｔｐ：／／ｗｗｗ．ｆａｑｓ．ｏｒｇ／ｒｆｃｓ／ｒｆｃ１５２８．ｈｔｍｌ＞
【発明の開示】
【発明が解決しようとする課題】
【００１２】
したがって、リモートサーバからデータアイテムをローカルデバイスにセキュアに転送すること、および/または、データアイテムをローカルデバイスからそのリモートサーバにセキュアに転送することが要望されている。
【課題を解決するための手段】
【００１３】
本発明の第１の局面によると、遠隔サーバの保護領域に格納された１つ以上のデータアイテムを、ローカルデバイスに転送するために取り出す方法であって、信頼できる接続を情報デバイスと該遠隔サーバの該保護領域との間に形成するステップと、該情報デバイスおよび該信頼できる接続を利用して、該遠隔サーバの該保護領域に格納された１つ以上のデータアイテムの第１のグループを選択するステップと、該データアイテムの第１のグループを該保護領域から該遠隔サーバの該保護領域の外の保持領域に転送するステップと、該ローカルデバイスと該保持領域との間に取り出し接続を形成するステップと、１つ以上のデータアイテムの第２のグループを該保持領域に転送された該データアイテムの第１のグループから決定するステップと、該データアイテムの第２のグループを、該保持領域から該取り出し接続を介して該ローカルデバイスに転送するステップとを包含する方法が提供される。
【００１４】
前記取り出し接続は、前記保持領域の位置を表す位置識別子に依存して形成され得る。前記ローカル識別子自体が、前記保持領域の位置を識別するために十分な情報を含み得るか、または、前記方法は、前記位置識別子に依存して、前記保持領域の位置を参照するステップをさらに包含し得る。完全な位置が位置識別子に依存して参照される場合、位置識別子の表現は、完全な位置の表現よりも小さいことが好ましい。例えば、位置識別子は、位置が文字のストリングによって表されるＵｎｉｆｏｒｍ  Ｒｅｓｏｕｒｃｅ  Ｌｏｃａｔｏｒ（ＵＲＬ）を含み得る。これは長いストリングであってもよい。位置識別子自体は、さらなる参照ステップを用いることによって、ずっと短くなり得、これにより、位置識別子をローカルデバイスに入力することがより容易になる。位置識別子は、例えば、保持サーバが選択されるときに、遠隔サーバによって決定され得、取り出し接続の形成において用いられるためにローカルデバイスに通信され得る。一方、位置識別子は、ローカル機器によって決定され得、データアイテムの第１のグループの保持領域への転送において用いられるために遠隔サーバに通信され得る。後者の場合、ローカル機器は、例えば、このようなデータアイテム転送のために指定した、特定の関連付けられた保持サーバを有し得る。前記データアイテムの第２のグループは、前記保持領域に転送される前記データアイテムの第１のグループを識別するグループ識別子に依存して決定され得る。
【００１５】
前記保持領域に転送された前記データアイテムの第１のグループへの前記ローカルデバイスからのアクセスは、該データアイテムの第１のグループに関連付けられたアクセス識別子に依存して取得され得る。前記アクセス識別子は、前記グループ識別子を含み得る。前記アクセス識別子はまた、前記位置識別子を含み得、アクセス識別子は、保持領域の位置および保持領域に転送されるデータアイテムの両方を表し得る。前記アクセス識別子は、前記情報デバイスから前記ローカルデバイスに通信され得る。前記アクセス識別子は、前記遠隔サーバにおいて生成され得、前記信頼できる接続を介して前記情報デバイスに通信され得る。前記アクセス識別子は、前記情報デバイスによる次の取り出しのために、前記遠隔サーバに格納され得る。アクセス識別子はまた、情報デバイスにおいて生成され得る。前記アクセス識別子は、該アクセス識別子を該ローカルデバイスに手動で入力することによって前記ローカルデバイスに通信され得る。一方、前記方法は、前記情報デバイスと前記ローカルデバイスとの間の接続を形成し、前記アクセス識別子を該情報デバイスから該接続を介して該ローカルデバイスに通信するステップをさらに包含し得る。前記情報デバイスと前記ローカルデバイスとの間の接続は、例えば、ローカルエリアネットワークを介する、Ｂｌｕｅｔｏｏｔｈ接続または赤外線接続などの無線通信であり得る。前記情報デバイスと前記ローカルデバイスとの間の接続はまた、物理接続であり得、前記方法は、前記情報デバイスを前記ローカルデバイスに接続されたクレードルに置いて、前記物理接続を形成するステップをさらに包含し得る。前記情報デバイスと前記ローカルデバイスとの間の接続はセキュア接続であり得る。
【００１６】
前記データアイテムの第２のグループは、前記データアイテムの第１のグループと同じであると決定され得る。例えば、これは、前もって決定されてもよく、第１のグループの選択の後に第２のグループを選択する別個のステップがあるかどうかは重要でない。この場合、第１のグループ内の全てのデータアイテムは、適切なリクエストがあったときに、ローカルデバイスに転送される。
【００１７】
前記方法は、前記ローカルデバイスを利用して、前記データアイテムの第２のグループ内のデータアイテムを選択し、決定するステップをさらに包含し得る。前記方法は、前記ローカルデバイスにおいて、前記第１のグループ内のデータアイテムのリストを提示し、前記保持領域から該ローカルデバイスに転送するために該リストから前記第２のグループを選択するステップを含み得る。前記方法は、前記第１のグループ内の１つ以上のデータアイテムに関する情報を前記保持領域から取り出し、前記ローカルデバイスにおいて該情報を提示して、前記第２のグループのデータアイテムの選択を容易にするステップをさらに包含し得る。この情報は、例えば、データアイテムの名前、作成日時、作成者、セキュリティレベルまたはそのサイズであってもよい。データアイテムの転送が課金の対象である場合、課金情報も表示され得る。
【００１８】
取り出し接続は高速接続であり得、インターネット接続であり得る。前記ローカルデバイスは、前記保持領域内のデータアイテムにアクセスし、かつ／または、選択し、かつ／または、取り出す場合に、一般的なインターネットブラウジング能力を用い得る。取り出し接続はセキュア接続であり得る。信頼できる接続はセキュア接続であり得る。情報デバイスと遠隔サーバとの間の信頼できる接続は、バーチャルプライベートネットワークを介し得る。前記信頼できる接続は、前記情報デバイスが前記保護領域にアクセスすることを許可されたという前記遠隔サーバによる認証の後に、該情報デバイスに対して認められ得る。
【００１９】
情報デバイスは、直接ダイヤル接続を用いて遠隔サーバに接続し得、信頼できるオペレータを用いて遠隔サーバに接続し得る。前記遠隔サーバの前記保護領域は、ファイヤーウォールによって保護され得る。情報は、Ｓｅｃｕｒｅ  Ｓｏｃｋｅｔｓ  Ｌａｙｅｒプロトコルを用いて情報デバイスと遠隔サーバとの間の信頼できる接続を介して転送され得る。信頼できる接続は、例えば、ローカルエリアネットワークを介する接続、またはモバイル電気通信接続などの無線接続であり得る。
【００２０】
前記方法は、前記ローカルデバイスに転送する前にデータアイテムを処理するステップをさらに包含し得る。行われる前記処理は、前記ローカルデバイスのタイプに依存し得、前記ローカルデバイスの位置に依存し得る。前記処理は、前記遠隔サーバ、または、前記保持サーバ、あるいは、両方において行われ得る。
【００２１】
前記方法は、前記データアイテムの第１のグループを前記保持領域内の隠された領域に格納するステップをさらに包含し得る。前記方法は、前記データアイテムのグループを、適切な認証情報がある場合にのみアクセス可能な前記保持領域のセキュア領域に格納するステップをさらに包含し得る。前記セキュア領域はパスワード保護され得、前記認証情報はパスワードを含み得る。前記認証情報は、前記アクセス識別子に含まれ得る。
【００２２】
前記方法は、前記保持領域に転送する前にデータアイテムを暗号化し、前記ローカルデバイスにおいて受信した後に該データアイテムを復号するステップをさらに包含し得る。前記アクセス識別子は、前記データアイテムの暗号化を行うために必要な暗号化情報をさらに含み得る。前記暗号化および復号は、対称キー暗号化アルゴリズムを用い得る。
【００２３】
前記方法は、前記アクセス識別子を、所定の回数の使用の後に、無効にするステップをさらに包含し得る。この文脈における使用とは、その識別子を用いる保護領域へのアクセス、または、単に、アクセス識別子をローカルデバイスに入力する行為であり得る。例えば、アクセス識別子は、１回の使用後に無効にされ得る。前記方法は、例えば、以前のアクセス識別子が無効にされた後、新たなアクセス識別子を生成するステップをさらに包含し得る。その後、新たなアクセス識別子は、保持領域内のデータアイテムへのアクセスにおいて用いられるために、例えば、遠隔サーバから情報デバイスを介してローカルデバイスに通信され得る。
【００２４】
前記方法は、前記アクセス識別子を、所定の期間、例えば、該識別子の生成後の所定の期間の後に、無効にするステップをさらに包含し得る。これは、前記アクセス識別子が用いられていない場合でも起こり得る。前記方法は、前記アクセス識別子を、該アクセス識別子に関連付けられたデータアイテムの全てが前記保持領域から取り出された後に、無効にするステップをさらに包含し得る。データアイテムは、所定の回数、例えば１回取り出された後に、前記保持領域から削除され得る。前記アクセス識別子に関連付けられた１つ以上のデータアイテムは、該アクセス識別子が無効にされる場合に削除され得る。前記方法は、データアイテムを所定の期間後にパブリックスペースから削除するステップをさらに包含し得る。
【００２５】
前記ローカルデバイスは出力デバイスを含み得る。前記ローカルデバイスがプリンタを含む場合、前記方法は、該ローカルデバイスに転送された少なくとも１つのデータアイテムの一部または全てを該プリンタ上で印刷するステップをさらに包含し得る。前記ローカルデバイスがディスプレイを含む場合、前記方法は、該ローカルデバイスに転送された少なくとも１つのデータアイテムの一部または全てを該ディスプレイ上で表示するステップをさらに包含し得る。ローカルデバイス上のデータアイテムの出力が課金の対象である場合、データアイテムが保持領域からの転送のために選択される前、かつ／または、データアイテムがローカルデバイスに出力される前に課金情報がユーザに提示され得る。少なくとも１つのデータアイテムは、電子メールアイテムであり得る。少なくとも１つのデータアイテムは、ドキュメントであり得る。出力デバイスの他の例は、プロジェクタおよび電子ホワイトボードである。
【００２６】
前記情報デバイスは、前記ローカルデバイスの一部を形成し得る。従って、専用情報デバイスが用いられる必要はない。上記の情報デバイスの機能性は、ローカルデバイス自体に含まれ得る。
【００２７】
前記情報デバイスは、モバイル情報デバイス、例えば、携帯情報端末、携帯電話、コードレス電話またはラップトップコンピュータであり得る。情報デバイスはまた、デジタルテレビ、電話またはパーソナルコンピュータであり得る。
【００２８】
前記情報デバイスは、まず、例えば、加入者アイデンティティモジュール番号または他のオペレータ識別子をリクエストすることによって、遠隔サーバのセキュア領域、または保持領域に転送されたデータアイテム、あるいは両方へのアクセスが認められる前に、認証されることが必要である。ユーザもまた、例えば、ＰＩＮまたはパスワードを情報デバイスにおいて入力する必要があることによって、認証されることが必要である。生成される認証情報は、アクセス識別子の一部として含まれ得、認証が失敗した場合、ローカルデバイスからの、保持領域に転送されたデータアイテムの第１のグループへのアクセスは認められない。これは、悪意がある情報デバイスが、保持領域にアクセスするために盗まれた位置および／またはグループ識別子を用いること、または正当なアクセス識別子が格納された正当な情報デバイスが悪意のあるユーザによって用いられることを防ぐために有用である。
【００２９】
ローカルデバイスは、モバイル情報デバイス、例えば、携帯情報端末、携帯電話、またはラップトップコンピュータであってもよいし、デジタルテレビまたはパーソナルコンピュータであってもよい。
【００３０】
前記保持領域は、保護領域と同じ遠隔サーバに位置してもよいし、別の保持サーバに位置してもよい。いずれの場合も、遠隔サーバは、保持領域の近傍に位置し得る。前記保持領域は、任意のパブリックデバイスによってアクセス可能なパブリックサーバに位置し得る。これは、幅広い種類のローカルデバイスによるアクセスを容易にし得る。前記ローカルデバイスは、不特定多数の人によってアクセス可能なパブリック機器であってもよいし、個人の自宅またはオフィスにあってもよい。１つのスーパユーザが、保護領域および保持領域の両方のコンテンツへの特権的なアクセスを有していてもよい。例えば、両方の領域が１つの会社の制御下にあってもよい。
【００３１】
前記情報デバイスは、前記ローカルデバイスの近傍に位置し得、実際、前記方法は、前記情報デバイスが前記ローカルデバイスの近傍にあることを、該情報デバイスの位置を該ローカルデバイスの位置と比較することによって、認証するステップをさらに包含し得る。位置の一方または両方が、グローバルポジショニングシステムによって提供され得る。ローカルデバイスの位置が固定される場合、該位置は、認証のときではなく、例えば、ローカルデバイスのインストールのときに決定される。情報デバイスが複数の基地局と無線通信している場合、情報デバイスの位置は、基地局との相対的な位置を決定することによって提供され得る。近似を確立する他の方法は、情報デバイスおよびローカルデバイスが、ローカル無線ネットワーク（ＩｒＤＡ、Ｂｌｕｅｔｏｏｔｈ、無線ＬＡＮ）を介する接続を確立できるか否かを決定することである。
【００３２】
前記方法は、前記ローカルデバイスにおいて受信される１つ以上のデータアイテムを、別のデバイスに転送するステップをさらに包含し得る。従って、前記ローカルデバイスは、単に、別のデバイスへのデータアイテムの高速取り出しのためのアクセスポイントとして、取り出されたデータアイテムがローカルデバイスによってそのように用いられない状態で用いられ得る。前記別のデバイスは情報デバイスであり得、遠隔サーバから取り出されたデータアイテムは、最終的に、データアイテムをリクエストした情報デバイスに留まる。
【００３３】
前記データアイテムの第１のグループ内のアイテム（単数または複数）は、前記保護領域から前記保持領域に押し出され得、前記保護領域と前記保持領域との間の通信リンクは、一方向通信リンクであり得る。これらの手段は、保護領域のセキュリティを高め、保護領域への認証されていない侵入が保護領域と保持領域との間に設定された通信リンクを利用することを防ぐことに役立つ。この保持領域はパブリックアクセス領域であり得る。前記保護領域と前記保持領域との間の通信リンクは、さらに、セキュア通信リンクであり得る。
【００３４】
本発明の第２の局面によると、遠隔取り出しシステムであって、データアイテムを格納するための保護領域を有する遠隔サーバと、該遠隔サーバの該保護領域の外の保持領域と、信頼できる接続を介して該遠隔サーバの該保護領域と通信する情報デバイスであって、該情報デバイスおよび該信頼できる接続は、該遠隔サーバの該保護領域に格納された１つ以上のデータアイテムの第１のグループを選択するために利用され、該データアイテムの第１のグループは、該保護領域から、該遠隔サーバの該保護領域の外の該保持領域に転送される、情報デバイスと、取り出し接続を介して該保持領域と通信するローカルデバイスであって、１つ以上のデータアイテムの第２のグループは、該保持領域に転送される該データアイテムの第１のグループから決定され、該第２のグループは該保持領域から該取り出し接続を介して該ローカルデバイスに転送される、ローカルデバイスとを備える、遠隔取り出しシステムが提供される。
【００３５】
本発明の第３の局面によると、ローカルデバイスに転送するため、遠隔サーバの該保護領域に格納された１つ以上のデータアイテムを取り出すために情報デバイスを利用する方法であって、該情報デバイスと該遠隔サーバの該保護領域との間に信頼できる接続を形成するステップと、該情報デバイスおよび該信頼できる接続を利用して、該遠隔サーバの該保護領域に格納された１つ以上のデータアイテムを選択するステップと、該選択されたデータアイテムを、該ローカルデバイスによる次の取り出しのために、該保護領域から該遠隔サーバの該保護領域の外の保持領域に転送させるステップとを包含する、方法が提供される。
【００３６】
本発明の第４の局面によると、ローカルデバイスに転送するため、遠隔サーバの保護領域に格納された１つ以上のデータアイテムを取り出す情報デバイスであって、該情報デバイスと該遠隔サーバの該保護領域との間に信頼できる接続を形成する接続手段と、該情報デバイスおよび該信頼できる接続を利用して、該遠隔サーバの該保護領域に格納された１つ以上のデータアイテムを選択する選択手段と、該選択されたデータアイテムを、該ローカルデバイスによる次の取り出しのために、該保護領域から該遠隔サーバの該保護領域の外の保持領域に転送させる転送手段とを備える、情報デバイスが提供される。
【００３７】
本発明の第５の局面によると、情報デバイスにロードされる場合、該デバイスを本発明の第４の局面によるデバイスにする、オペレーティングプログラムが提供される
本発明の第６の局面によると、情報デバイス上で実行される場合、本発明の第３の局面による方法を実行させる、オペレーティングプログラムが提供される。
【００３８】
前記オペレーティングプログラムは、伝送媒体または格納媒体であり得るキャリア媒体に保持され得る。
【００３９】
本発明の第７の局面によると、１つ以上のデータアイテムをローカルデバイスから遠隔サーバの保護領域に転送する方法であって、該ローカルデバイスに格納された１つ以上のデータアイテムのグループを選択するステップと、該ローカルデバイスと該遠隔サーバの該保護領域の外の保持領域との間に転送接続を形成するステップと、該データアイテムのグループを、該ローカルデバイスから該転送接続を介して該保持領域に転送するステップと、情報デバイスと該遠隔サーバの該保護領域との間に信頼できる接続を形成するステップと、該情報デバイスおよび該信頼できる接続を利用して、該保持領域内の該データアイテムのグループから１つ以上のデータアイテムを該遠隔サーバの該保護領域に転送するステップとを包含する、方法が提供される。
【００４０】
前記１つ以上のデータアイテムは、前記遠隔サーバによって、前記保持領域から前記保護領域に引っ張られ得る。前記ローカルデバイスは、スキャナまたはコピー機などの入力デバイスを含み得る。
【００４１】
本発明の第８の局面によると、データアイテムを格納するための保護領域を有する遠隔サーバと、該遠隔サーバの該保護領域の外の保持領域と、転送接続を介して該保持領域と通信するローカルデバイスであって、該ローカルデバイス上の１つ以上のデータアイテムのグループは、該転送接続を介して該保持領域に転送される、ローカルデバイスと、信頼できる接続を介して該遠隔サーバの該保護領域と通信する情報デバイスであって、該情報デバイスおよび信頼できる接続が、該保持領域内のデータアイテムのグループから、１つ以上のデータアイテムを、該遠隔サーバの該保護領域に転送するために利用される、情報デバイスとを備える、遠隔転送システムが提供される。
【発明の効果】
【００４２】
本発明によれば、リモートサーバからデータアイテムをローカルデバイスにセキュアに転送すること、および、データアイテムをローカルデバイスからそのリモートサーバにセキュアに転送することができる。
【発明を実施するための最良の形態】
【００４３】
例示のために、添付の図面が参照される。
【００４４】
図３は、本発明の第１の実施形態による遠隔取り出しシステムを示すブロック図である。遠隔取り出しシステムは、情報デバイス２０と、遠隔サーバ２８と、保持サーバ４０と、ローカルデバイス４６とを含む。情報デバイス２０は、接続部２２と、選択部２４と、転送部２６とを含む。遠隔サーバ２８は、データアイテム記憶装置３２と、アクセス識別子部３４と、セキュリティ部３６と、転送部３８とを有する保護領域３０を含む。保持サーバ４０は、データアイテム保持記憶装置４４を有する保持領域４２を含む。ローカルデバイス４６は、接続部４８と、選択部５０と、取り出し部５２とを含む。
【００４５】
遠隔サーバ２８の保護領域３０に格納された１つ以上のデータアイテムを、ローカルデバイス４６に転送するために、取り出す方法を、図４のフローチャートを参照しながら以下に説明する。
【００４６】
情報デバイス２０の接続部２２は、遠隔サーバ２８への接続の開始を試みる。セキュリティ部３６は、情報デバイス２０の真実性および信頼性を検証し、確信できる場合、情報デバイス２０と遠隔サーバ２８の保護領域３０との間に信頼できる接続を形成する（ステップＳ１）。その後、情報デバイス２０のユーザは、情報デバイス２０および信頼できる接続を利用して、遠隔サーバ２８の保護領域３０のデータアイテム記憶装置３２に格納されている１つ以上のデータアイテムの第１のグループを選択する（ステップＳ２）。この実施形態におけるこの選択プロセスは、情報デバイス２０の選択部２４によって制御される。
【００４７】
情報デバイス２０のユーザからリクエストされると、情報デバイス２０の転送部２６は、データアイテムの第１のグループを、保護領域３０から遠隔サーバ２８の保護領域３０の外の保持領域４２内のデータアイテム保持記憶装置４４に転送するリクエストを生成する（ステップＳ３）。このリクエストは、遠隔サーバ２８の転送部３８によって処理される。保持領域４２の位置は位置識別子によって表され、保持領域４２に転送されるデータアイテムの第１のグループはグループ識別子によって識別される。この実施形態において、位置識別子およびグループ識別子を含む１つのアクセス識別子が、遠隔サーバ２８のアクセス識別子部３４によって発生し、情報デバイス２０に通信される。アクセス識別子は、ローカルデバイスによって、保持領域４２からデータアイテムを取り出すことを可能にする。この実施形態において、情報デバイス２０に通信されるアクセス識別子は、ユーザによって単に読み取られ、ローカルデバイス４６に手動で入力される。
【００４８】
取り出し接続は、ローカルデバイス４６の接続部４８によって、保持領域４２とローカルデバイス４６との間に形成され（ステップＳ４）、１つ以上のデータアイテムの第２のグループが、保持領域に保持されているデータアイテムの第１のグループから選択され得る（ステップＳ５）。これは、ユーザに対して、ユーザが選択することができる利用可能なドキュメントのリストをローカルデバイスにおいて提示することによって為される。これは、ローカルデバイス４６の選択部５０によって制御される。データアイテムの第２のグループが決定されると、それらのデータアイテムは、ローカルデバイス４６の取り出し部５２の制御のもとで、保持領域４２から取り出し接続を介してローカルデバイス４６に転送される（ステップＳ６）。
【００４９】
本発明のこの実施形態は、情報デバイス２０（例えば、モバイルデバイス）が、遠隔サーバ２８（例えば、会社のローカルエリアネットワーク（ＬＡＮ））の保護領域３０の現在のセキュリティ構成を損なうことなく、ローカルデバイス４６（例えば、ローカル周辺機器）が、取り出し接続（例えば、インターネット）を介してデータアイテム（例えば、会社のドキュメントおよび電子メール）への、限定された一時的なアクセスを有するように準備することを可能にする。ローカル周辺機器は、ドキュメントをモバイルネットワークを介して転送することでコストおよび速度を犠牲にすることなく、ユーザのオフィスのセキュアで、一時的な拡張装置として機能し得る。本発明の実施形態は、現行の世代のモバイルデバイス上で動作する。ローカルデバイスはプリンタであってもよく、移動するビジネスマンが移動中に会社のドキュメントおよび電子メールを印刷することを可能にする。
【００５０】
本発明の実施形態は、モバイルデバイス（情報デバイス）のユーザが、保護されたネットワークに格納されたドキュメントをパブリックデバイス（ローカルデバイス）に出力することを可能にする。ユーザは、会社のＬＡＮのようなプライベートな保護されたスペースへのセキュア接続を有する。このプライベートスペースは、何らかの機構によって侵入から保護されている。この機構は、ファイヤーウォールであってもよい。この場合、アクセスは、通常、バーチャルプライベートネットワークを介して為されるが、データセンター内のパスワード保護領域を介して為されてもよい。保持領域４２は、適切な認証があれば、任意のインターネット機器が接続され、情報が引き出され得るウェブサーバのようなパブリックスペースにあってもよい。上記の実施形態において、情報は、保護領域３０から保持領域４２に押し出されるが、保持領域４２から保護領域３０へのアクセスはない。これは、保護領域３０のセキュリティを大幅に高める。
【００５１】
上記のステップＳ２において、ユーザは、保護領域をブラウズまたはサーチして、転送するドキュメントを選択するモバイルデバイスを用い得る。必要である場合、ドキュメントは、印刷に適したフォーマット（例えば、Ａｄｏｂｅ（登録商標）ＰＤＦフォーマット）に変換され、保護領域３０から保持領域４２にコピーされ得る。処理は、保持サーバ４０において行われ得る。データアイテム保持記憶装置４４は、保持サーバ４０の隠された、またはパスワードで保護された領域にあり得、ドキュメントは、保護領域３０を離れる前に暗号化され得る。
【００５２】
高いレベルのセキュリティのためには、アクセス識別子は、１回限りのアクセス識別子であり、例えば、一度アクセス識別子がローカルデバイス４６に入力されると、直ちに、無効にされ、二度と用いることができないことが好ましい。アクセス識別子は、ドキュメントが取り出され後にのみ無効にされてもよいが、これは、よりセキュアでない。ローカルデバイス４６が、ドキュメントの取り出しを終了したことを示すと、保持領域４２から削除され得る。
【００５３】
本発明のある実施形態の動作の大筋は、以下の通りである。情報デバイス２０は、バーチャルプライベートネットワークを介して、ユーザのローカルエリアネットワーク（ＬＡＮ）上の遠隔サーバ２８に接続し得る携帯電話であり得る。サーバ２８は、ウェブページを携帯電話に伝送し得、ユーザが、デバイスのブラウザを介してインタラクトすることを可能にする。ウェブページは、ＬＡＮ上のユーザのドキュメントおよび電子メールをブラウズおよびサーチする機能を提示する。ユーザは、印刷のために１つ以上のドキュメントを選択し、その後、（例えば、デバイスの画面上に現れる「印刷」ボタンを押すことによって）これらのドキュメントの印刷をリクエストする。この時点で、ドキュメントはＰＤＦに変換され、（例えば、会社の「非武装地帯」にある）保持サーバ４０にアップロードされる。同時に、保持サーバ４０において、これらのドキュメントのため、１回限りのアクセス識別子が生成される。このアクセス識別子は、ユーザのモバイルデバイス上に表示される。その後、ユーザは、添付されたウェブブラウザを持って、パブリックプリンタ（ローカルデバイス４６）まで歩いていく。会社のパブリックサーバ（保持サーバ４０）のアドレスをこのブラウザに入力し、認証ページが表示される。このページに１回限りのアクセス識別子（および、おそらく、個人識別子）を入力し、価格情報とともに、ドキュメントのリストが示される。１回限りの識別子は、直ちに無効の印が付けられ、この識別子を用いて再度ログインすることは不可能になる。印刷するためのドキュメントを１つ以上選び、必要な支払いを済ませた後、ドキュメントは、パブリックプリンタ（ローカルデバイス４６）において印刷される。最終的に、ドキュメントは、プリンタに転送されると、保持サーバ４０内のドキュメントレポジトリから削除される。
【００５４】
ドキュメントは、ローカルデバイスのタイプに依存して、異なるようにフォーマットされ得る。例えば、ローカルデバイスがコンピュータである場合、元のフォーマット（例えば、Ｍｉｃｒｏｓｏｆｔ（登録商標）Ｗｏｒｄ）でドキュメントを提供され得るが、プリンタは、プリンタに適合したフォーマット（例えば、ＰＤＦ）でドキュメントを提供され得る。さらなるサービスは、特定のローカルデバイスについて提供され得る。例えば、コンピュータは、ドキュメントをダウンロードし、編集して、再度、保持サーバにアップロードすることを許可され得る。ドキュメントは保持サーバから、保護領域へと戻され得る。同様に、保持サーバは、パブリック機器が特定の国にあることを自動的に検出し、ドキュメントの自動的なその国の言語への変換を行うかどうかを提案し得る。これらのさらなるフォーマットおよび他のサービスは、遠隔サーバまたは保持サーバによって提供され得る。
【００５５】
情報デバイス２０は、携帯情報端末（ＰＤＡ）、ラップトップ、他の会社のデスクトップコンピュータ、またはウェブイネーブルＴＶ等の任意の適切なデバイスであり得る。アクセス識別子は、１回限りではなくｎ回用いられるもの、すなわち、ｎ回使用した後に識別子が無効にされるようなもの、あるいは、他の何らかの方式が用いられてもよい。情報デバイスは、ＶＰＮを必要とすることなく、直接ダイヤル接続または信頼できるオペレータを介してＬＡＮにアクセスし得る。情報デバイスは、ＳＳＬを介してＬＡＮにアクセスし得る。ローカルデバイスは、インターネットイネーブルコピー機、独立型モニタ、またはインターネットカフェのコンピュータなどの任意のパブリックまたはインターネット機器であり得る。ローカルデバイスは、オフィスにあってもよいし（例えば、コピー機、他の人のコンピュータ）、他の人のプライベートデバイス（例えば、コンピュータ他のモバイルデバイス、インターネットイネーブルＴＶ、ホームサーバまたはゲートウェイ）であってもよい。位置識別子およびアクセス識別子は、赤外線、Ｂｌｕｅｔｏｏｔｈ、または無線ＬＡＮ等の無線ネットワーク技術を用いて、または、有線のリンクを用いて（例えば、情報デバイスが、クレードルに置かれるか、他の方法でローカルデバイスに物理的に取りつけられ得る）ローカルデバイスに転送され得る。
【００５６】
本発明の実施形態の動作の他の大筋は、以下の通りである。ユーザは、友人の家を訪れ、自身の携帯電話を用いて、自宅のＰＣまたはホームサーバに格納された写真のコレクションをブラウズし、友人に見せる写真をいくつか選ぶ。写真は、保持サーバに（例えば、インターネットサービスプロバイダにおいて）アップロードされ、アクセス識別子がユーザの電話上に表示される。その後、ユーザは、友人のウェブイネーブルＴＶを用いて、保持サーバをブラウズし、（アクセス識別子を用いて）ログインし、友人のＴＶ上で写真を友人に見せる。
【００５７】
ドキュメントは、保持サーバから削除され得、アクセス識別子は、所定の時刻の後に、ドキュメントがアクセスされていなくても、無効にされる。保持サーバは、ユーザを認証するために、いくつかのユーザ特有識別子（例えば、ＰＩＮ）およびアクセス識別子の入力を必要とし得る。保持サーバおよび／または遠隔サーバは、モバイルデバイスを認証するために、ＳＩＭ番号または何らかの他のオペレータ識別方法を必要とし得る。例えば、遠隔サーバは、ＳＩＭ番号を用いて、モバイルデバイスを認証し、認証コードを情報デバイスに返し得る。あるいは、オペレータが、情報デバイスを認証し、認証コードを情報デバイスに返し得る。その後、情報デバイスは、このような認証コードをローカルデバイスに送り得る。認証コードは、保持サーバとともに、情報デバイスを認証するアクセス識別子の一部として含まれ得、アクセス識別子において指定されるドキュメントへのアクセスを可能にする。保持サーバは、例えば、この認証コードを前もって提供され得るか、または、認証コードをチェックするためにオペレータに接触し得る。
【００５８】
第１のグループのデータアイテムは、別のリクエストによって、保持サーバに転送されるデータアイテムを含み得る。例えば、ユーザは、第１のデータアイテムを選択して、保持サーバに転送し、その後、別のリクエストにおいて、第２の異なるデータを選択して、保持サーバに転送するために、この情報を用い得る。保持サーバにおける第１および第２のデータアイテムは、１つのアクセス識別子に関連付けられた第１のグループの一部として処理されるか、または、それぞれの異なるアクセス識別子に関連付けられた、２つの異なる第１のグループとして処理され得る。ある特定のユーザに、一度に１つのアクセス識別子が割り当てられることが可能であり、このアクセス識別子は、ユーザによって転送される保持サーバ上のデータアイテムの全てにユーザがアクセスすることを可能にする。アクセス識別子の一部であるグループ識別子が、情報デバイスに転送されるのではなく、また、ローカルデバイス上でもなく、特定のユーザにリンクされた保持サーバ上に保持され得る。ユーザがデータアイテムにアクセスすることを望む場合、ユーザを識別するために、ユーザは認証情報をローカルデバイスに（手動または電子転送のいずれかによって）入力し得、この認証情報は、保持サーバ上の正確なグループ識別子を相関させ、そのグループ識別子に基づいて、適切なデータアイテムにアクセスするために用いられ得る。グループ識別子は、アクセス識別子について本明細書の他の場所に記載した方式と同じ方式を用いて、グループ識別子の「使用」と同等に見なされる状態で、無効にされ得る。グループ識別子は、代わりに、特定の情報デバイス、または、特定の遠隔サーバにリンクされ得、そのグループにおけるデータアイテムの全てに対するアクセスを取得するために適切な認証情報があれば、アクティブにされ得る。グループ識別子は、１つより多いユーザおよび／またはデバイスおよび／またはサーバにリンクされ得る。他のこのような変形例は、当業者にとって明らかである。
【００５９】
ドキュメントは、保持サーバに送られる前、暗号化され得る。アクセス識別子は、必要な暗号化情報を含み得る。ユーザが情報を手でローカル（インターネット）デバイスに入力する場合、ユーザが保持サーバの位置全体を入力することを必要とするのではなく、短いストリングまたは数をインターネットデバイスに入力することを可能にするルックアップサービスがあり得る。情報を手で入力する代わりに、セキュリティおよびアクセス情報をモバイルデバイスからインターネット機器に転送するために、（セキュアな）無線リンクが用いられ得る。モバイルデバイスがインターネット機器に近いことが、認証プロセスの一部として検証され得る（例えば、モバイルデバイス内の近似検出または位置検出）。インターネット機器は、ユーザが自身のファイルを、速く安価な接続を介して、個人用機器（おそらくモバイルデバイス）に転送することを可能にするパブリックアクセスポイントであり得る。アクセス識別子は、（有効である間に）保護領域に格納され得、モバイルデバイス上で取り出され得る。保護領域内の頻繁に用いられる位置へのブックマークは、保護領域またはモバイルデバイスのいずれかに格納され得る。
【００６０】
頻繁に用いられるか、かつ／またはセキュリティが低いドキュメントのセットは、インターネット機器によるアクセスの直後に削除されるのではなく、パブリックスペースにおいて（暗号化された状態で）維持されることが可能にされるが、アクセス識別子は変更され得る。インターネット機器はまた、ＶＰＮのようなセキュア接続を介して、保持サーバにアクセスし得る。
【００６１】
本発明の実施形態と、上述した従来技術によるシステムとの間の主な違い、ならびに、本発明の実施形態の関連付けられた利点を以下に説明する。
【００６２】
図１を参照しながら説明したサッチェルシステムにおいて、ドキュメントトークンは、モバイルデバイスに格納される。本発明の実施形態は、ドキュメントトークンの概念に依存せず、モバイルデバイスは、ドキュメントについての任意の情報を格納することを必要とされない。本発明のある実施形態は、サーバにアクセスするためにＵＲＬを用いて、その後、そのサーバで印が付けられたファイルを見つける。サッチェルは、ドキュメント自体のＵＲＬを用いる。
【００６３】
サッチェルシステムにおいて、ドキュメントトークンは、インターネット機器に無線で転送される。本発明のある実施形態において、１回限りのアクセス識別子は、選択されたドキュメントを表すために生成され、これは、ユーザがインターネット機器または他のローカルデバイスにタイプするために十分なほど小さくなり得る。このような実施形態における、アクセス識別子の１回限りの性質はまた、ユーザがこの情報を、傍観者が情報へのアクセスを入手する恐れなしにタイプしても安全であることを保証する。対照的に、サッチェルシステムにおいては、ドキュメントトークンは、用いられても直ちに無効にはならない。
【００６４】
さらにサッチェルシステムは、ファイヤーウォールの問題に対処しない。ファイヤーウォールに特別の穴が形成されれば、ファイヤーウォールの内部へと通り抜け得るゲートウェイマシンが構築され得る。これはさらなるセキュリティリスクを導く。本発明のある実施形態は、モバイルデバイス、または他の情報デバイスが、選択されたドキュメントにアクセスし、インターネットまたは他の機器によって収集されるために、ファイヤーウォールの外部に押し出すことを可能にする現行の技術を用いることによって、ファイヤーウォールの問題を解決する。この解決策は、新たな穴をファイヤーウォールに形成する可能性を避け、そのことにより、ドキュメント転送に関連するセキュリティリスクを最小化する。
【００６５】
上記の観点から、本発明を具現化するシステムおよび方法は、サッチェルシステムと比較して、セキュリティ上の利点を有し、また、情報デバイスおよびローカルデバイスのために必要とされるカスタムサポートがより少ない。
【００６６】
図２を参照しながら上述したＰｒｉｎｔＭｅシステムにおいて、情報デバイスはなく、遠隔サーバ内に保護領域はない。ＰｒｉｎｔＭｅシステムは、保護領域への制限されたアクセスを有するモバイルデバイスが、印刷するためのドキュメントをアップロードすることを可能にしない。本発明の実施形態は、ユーザが、オフィスを離れた後に、プライベートネットワークに格納されたドキュメントにアクセスし、印刷することを可能にする。Ｘｅｒｏｘ（登録商標）製のｍＤｏｃ製品（ｈｔｔｐ：／／ｗｗｗ．ｘｅｒｏｘ．ｃｏｍ／ｍｄｏｃ）は、モバイルドキュメントアクセスをＰｒｉｎｔＭｅシステムと統合し得るが、ドキュメントが指定されたプリンタに直ちに送信されるＰｒｉｎｔＭｅシナリオを可能にするのみである。ユーザは、ドキュメントを選択し、モバイルデバイス上のプリンタのための識別子を指定する。本発明のある実施形態を用いると、ユーザは、時間的にある一点において（例えば、電車に載っているとき）、印刷のためのドキュメントを選択し得るが、実際には、ドキュメントを後でプリンタの前に立っているときに印刷する。実際、本発明のある実施形態において、ユーザが、選択されたドキュメントが印刷されるときに、選択したプリンタの近傍にいることが、重要なセキュリティ特徴である。また、サービスが課金するごとに実行されることになっている場合に、サービスの供給側が、チェーン全体を制御し、ユーザの携帯電話オペレータを介して任意の課金を発行し得るという点でさらなる技術的な利点がある。これはまた、ドキュメントが印刷されたときに、正確なアカウントに課金が行われ得るように、ユーザが情報を、恐らくは自動的に、ユーザの携帯電話アカウントを識別するプリンタに入力することを必要とし得る。
【００６７】
ＰｒｉｎｔＭｅシステムにおいて、ドキュメントは、ドキュメントが属している会社によって制御されていないパブリックウェブサービスに送信される。本発明のある実施形態において、１つのエンティティが、保護領域および保持領域の制御を保つことが可能である。さらに、本発明のある実施形態は、ドキュメントが、遠隔サーバを離れたときから、ローカルデバイスに到着するまでに暗号化されることを可能にし、従って、ドキュメントは、暗号化されていない状態で、パブリクネットワークを横断すること、または、パブリックにアクセス可能なサーバに格納されることはない。本発明のある実施形態はまた、ドキュメントが他の方向に流れることを可能にし、従って、ローカルデバイスがスキャナのような入力デバイスである場合、ドキュメントをローカルデバイスから遠隔サーバに転送することが可能である。このような実施形態を以下に説明する。
【００６８】
ＰｒｉｎｔＭｅシステムにおいて、プリンタは、インターネットブラウジング能力を有する一般的なデバイスであるのではなく、ＰｒｉｎｔＭｅサービスのために特別にイネーブルされる必要がある。本発明の実施形態は、一般的なインターネットデバイス、例えば、インターネットイネーブルプリンタまたはウェブブラウザを有する任意の他のデバイス（例えば、コンピュータまたはＰＤＡ）をローカルデバイスとして用いることを可能にする。これは、移動するビジネスマンにとって、選択できるデバイスの幅を広げ、システムを維持するために必要なデバイス特有のノウハウを大幅に低減する。
【００６９】
本発明の実施形態はまた、求められていないデータ（「スパム」）をプリンタに送るという望ましくない慣行を防止することができる。例えば、ＰｒｉｎｔＭｅシナリオおよびＸｅｒｏｘ（登録商標）Ｍｄｏｃシナリオの両方において、悪意ある個人は、その前に立っていないにも関わらず、ドキュメント（例えば、マーケティング情報）を遠隔プリンタに、送信し得る（求められていないファックスを送信するという既に一般的な慣行に類似する）。ユーザがドキュメントをプリンタに送るが、ドキュメントをキューから出すためにはそれを選択するか、または何らかの認証を入力する必要がある場合でさえ、プリンタキューは、求められていないデータで満たされ得る（実効的な「サービス拒否」攻撃）。
【００７０】
上記の特許文献５において、ユーザは、必要な情報の位置を機器に送り、その後、機器はこの情報を取り出す。しかし、特許文献５は、完全に異なる問題に関心が向けられており、既にパブリックドメインにある情報を単に表示または印刷する。本発明の実施形態において、ＵＲＬは、特許文献５の場合とは異なり、携帯電話ネットワークを介して送信されない。
【００７１】
第１の実施形態は、遠隔サーバからローカルデバイスへのデータアイテムの転送に関連して（例えば、デバイスが出力デバイスである場合のローカルデバイスにおける出力について）説明されてきたが、例えば、ローカルデバイスがスキャナのような入力デバイスである場合、ローカルデバイスから遠隔サーバへのデータアイテムのセキュア転送のために、本発明の実施形態を用いることがまた可能である。
【００７２】
図５は、本発明の第２の実施形態による遠隔転送システムを示すブロック図である。遠隔転送システムは、情報デバイス２０’と、遠隔サーバ２８’と、保持サーバ４０’と、ローカルデバイス４６’とを含む。遠隔サーバは、保護領域３０’を含む。保持サーバ４０’は、保持領域４２’を含む。図３および図５の同じように番号が付けられた部材は、同じように動作する部材を表し、当業者であれば、図３を参照しながら説明したシステムにどのような変更を加えれば、図５に示す第２の実施形態にしたがって動作するかを理解する。第１の実施形態に関連する説明の大部分が、第２の実施形態に同様に適用される。
【００７３】
１つ以上のデータアイテムをローカルデバイス４６’から遠隔サーバ２８’の保護領域３０’に転送する方法を、図６に示すフローチャートを参照しながら、以下に説明する。ローカルデバイス４６’に格納された１つ以上のデータアイテムのグループが、選択される（ステップＴ１）。これらのデータアイテムは、ローカルデバイス４６’自体によって、例えば、ドキュメントのスキャンの後に、生成され得る。選択する動作は、最初にデータアイテムを生成する方法によって行われ得る。例えば、スキャンされたドキュメントは、ユーザによるさらなる手動での選択を必要とすることなく、グループの一部として遠隔サーバに転送されることが自動的に選択され得る。その後、ローカルデバイス４６’と遠隔サーバ２８’の保護領域３０’の外の保持領域４２’との間に転送接続が形成される（ステップＴ２）。データアイテムのグループは、ローカルデバイス４６’から転送接続を介して保持領域４２’に転送される（ステップＴ３）。信頼できる接続が、情報デバイス２０’と、遠隔サーバ２８’の保護領域３０’との間に形成される（ステップＴ４）。情報デバイス２０’および信頼できる接続を利用して、保持領域４２’内のデータアイテムのグループから１つ以上のデータアイテムを遠隔サーバ２８’の保護領域３０’に転送することが、遠隔サーバ２８’のリクエストにより開始される（ステップＴ５）。第１の実施形態と同様に、位置識別情報を含むアクセス識別子が、保持領域４２’の位置を識別するために、ローカルデバイス４６’に（手動で、または電子的に）入力され得る。これにより、転送接続が形成され、ローカルデバイス４６’からその接続を介して保持領域４２’にデータアイテムが押し出されることが可能になる。第１の実施形態と同様に、認証および暗号化情報をローカルデバイス４６’に提供して、保持領域４２’とのインタラクションを成功させるために、アクセス識別子が用いられ得る。グループ識別情報は、保持領域４２’に転送される適切なデータアイテムにアクセスし、選択することを可能にするために、ローカルデバイス４６’から情報デバイス２０’に転送され得る。
【００７４】
第２の実施形態のこのような方法は、移動するビジネスマンに、データアイテム（例えば、スキャンされたドキュメント）をローカルデバイス（例えば、パブリックスキャナ）からそのリモートサーバ（例えば、会社のＬＡＮ）の保護領域に転送するセキュア機構を提供し得る。
【００７５】
本発明の実施形態は、多くの領域、例えば、遠隔アクセス状況、セキュリティ、パブリック機器、自販機、および印刷において用途が見出され得る。
【００７６】
上記の方法の各種の側面の動作は、情報デバイス、リモートサーバ、保持サーバ、およびローカル機器上のオペレーティングプログラムによって、これらの部材上でローカルに、またはその間に分配されて、制御され得る。このようなオペレーティングプログラム（単数または複数）は、コンピュータ読み出し可能媒体上に格納されてもよいし、例えば、インターネットウェブサイトから提供されるダウンロード可能なデータ信号のような信号として具現化される。添付の特許請求の範囲は、オペレーティングプログラムを、それ自体として、または、キャリア上の記録として、または、信号として、あるいは、任意の他の形態のオペレーティングプログラムとして含んでいると解釈されるべきである。
【図面の簡単な説明】
【００７７】
【図１】図１は、従来技術による遠隔アクセスシステムのブロック図である。
【図２】図２は、別の従来技術による遠隔アクセスシステムのブロック図である。
【図３】図３は、本発明の第１の実施形態による、遠隔取り出しシステムを示すブロック図である。
【図４】図４は、図３の遠隔取り出しシステムの動作を説明するために用いられるフローチャートである。
【図５】図５は、本発明の第２の実施形態による、遠隔転送システムを示すブロック図である。
【図６】図６は、図５の遠隔転送システムの動作を説明するために用いられるフローチャートである。
【符号の説明】
【００７８】
２０    情報デバイス
２２    接続部
２４    選択部
２６    転送部
２８    遠隔サーバ
３０    保護領域
３２    データアイテム記憶装置
３４    アクセス識別子部
３６    セキュリティ部
３８    転送部
４０    保持サーバ
４２    保持領域
４４    データアイテム保持記憶装置
４６    ローカルデバイス
４８    接続部
５０    選択部
５２    取り出し部
【図１】
2005032238.tif 000003
【図２】
2005032238.tif 000004
【図３】
2005032238.tif 000005
【図４】
2005032238.tif 000006
【図５】
2005032238.tif 000007
【図６】
2005032238.tif 000008